(57)【要約】【課題】機械設備等を設置する設備室に、この設備の自己発熱により設備が故障したり誤作動を起こすのを未然に防止するのに有効で効率的な家屋の室内換気方法および換気システムを提供すること。【解決手段】家屋２２の壁体２９により形成された設備室２３と、この設備室２３の外気温度の高い壁体２９側を貫通して設けられ、室内・外の空気を給・排気する第１の換気装置２４と、外気温度の低い壁体２９側を貫通して設けられ、室内・外の空気を給・排気する第２の換気装置２５とを備える。【選択図】  図１
2005133990.tif 000002
【特許請求の範囲】
【請求項１】
家屋の外気温度の高い壁体側に設けられる換気装置を始動させて、室内空気を室外側へ排気するステップと、
家屋の外気温度の低い壁体側に設けられる換気装置を始動させて、室外空気を室内側へ給気するステップとを具備することを特徴とする家屋の室内換気方法。
【請求項２】
室外空気を室内側へ給気するステップは、上記室内空気を室外側へ排気することにより、室内空気圧レベルが所定の負レベルに達した時に、室外空気を室内側へ給気するステップであることを特徴とする請求項１記載の家屋の室内換気方法。
【請求項３】
上記室内空気を室外側へ排気するステップは、上記外気温度が高い壁体側に設置される排気専用の換気装置により排気するステップであり、
上記室外空気を室内側へ給気するステップは、上記外気温度の低い壁体側に設置される給気専用の換気装置により給気するステップであることを特徴とする請求項１記載の家屋の室内換気方法。
【請求項４】
家屋の壁体により形成された設備室と、
設備室の一方の壁体側を貫通して設けられ、室内・外の空気を給・排気する第１の換気装置と、
上記設備室の他方の壁体側を貫通して設けられ、室内・外の空気を給・排気する第２の換気装置と、
外気温度の高い壁体側の換気装置を作動させて設備室内側から排気する一方、外気温度の低い壁体側の換気装置を作動させて設備室内側へ給気するようにしたことを特徴とする家屋の室内換気システム。
【請求項５】
上記第１の換気装置および第２の換気装置は、何れか一方が排気専用で他方が給気専用の換気装置であることを特徴とする請求項４記載の家屋の換気システム。
【請求項６】
家屋の壁体により形成された設備室と、
設備室の一方の壁体側を貫通して設けられ、室内・外の空気を給・排気する第１および第３の換気装置と、
上記設備室の他方の壁体側を貫通して設けられ、室内・外の空気を給・排気する第２および第４の換気装置とを具備し、
外気温度の高い壁体側の換気装置を作動させて設備室内側から排気する一方、外気温度の低い壁体側の換気装置を作動させて設備室内側へ給気するようにしたことを特徴とする家屋の室内換気システム。
【請求項７】
上記第１の換気装置および第３の換気装置の何れか一方が排気専用で他方が給気専用の換気装置であると共に、上記第２の換気装置および第４の換気装置の何れか一方が排気専用で他方が給気専用の換気装置であることを特徴とする請求項６記載の家屋の換気システム。
【請求項８】
家屋の壁体により形成された設備室と、
設備室の一方の壁体側を貫通して設けられ、室内・外の空気を給・排気する第１の換気装置と、
上記設備室の他方の壁体側を貫通して設けられ、室内・外の空気を給・排気する第２の換気装置と、
上記室外側および室内側の空気圧を検知する室内・外の空気圧センサとを具備し、
上記第１および第２の換気装置の何れか一方の外気温度の高い側を作動させて設備室内空気を室外側へ排気させ、室内空気圧が所定の負圧レベルに達した時に、他方の換気装置を作動させて外気温度の低い側から設備室内側へ給気するようにしたことを特徴とする家屋の室内換気システム。
【発明の詳細な説明】
【技術分野】
【０００１】
この発明は、機械設備や電気設備等設備を有する設備室内を換気する家屋の室内換気方法および換気システムに関する。
【背景技術】
【０００２】
家屋の室内温度は、床面側と天井面側とで通常温度差が生じている。
【０００３】
特に、機械設備や電気設備等の設備を有する設備室内においては、設備の運転時の自己発熱や暖房装置を備える場合には、室内温度が急激に上昇する傾向にある。また、そのため冷房装置を作動させようとすると、急激な温度低下を伴なうことになる。
【０００４】
このように、設備室内の温度分布にバラツキが生じる場合には、設備室内での所望温度到達までの時間がかかり過ぎたり、冷・暖房効率の低下を招くという問題があった。
【０００５】
この対策として従来、例えば暖房時などに換気手段を利用して室内空気を撹拌し、温度分布を均一化して対応するようにしたものがある。
【０００６】
このような家屋の室内換気システムとして、実開平５−３６２２３号公報の全文明細書（［特許文献１］参照）に開示されている。
【０００７】
この特許文献１によれば、添付図面の図４に示すように、設備室１内と室外３とに仕切る壁体２を設け、この壁体２に、この壁体２を貫通して換気装置４が設けられている。
【０００８】
設備室１内には、室外３の温度を検知して換気装置４を作動させる温度検知装置５が設けられる。この温度検知装置５は、設備室１内側の上部および下部に上部温度および下部温度を検知する上部温度センサ６および下部温度センサ７が設けられる一方、室外３側には室外温度センサ８を設けている。
【０００９】
換気装置４は、室内空気を室外３側へ排出したり、室外空気を設備室１内側へ取り入れる換気ファン９と、この換気ファン９を可逆回転可能に駆動させるモータ１０と、この換気ファン９およびファンモータ１０とを支持する枠体１１とから構成される。
【００１０】
壁体２には、この壁体２の一部を貫通して室内外空気の出入りが自由になるように換気枠１３が設けられる。この換気枠１３には、ファンモータ１０を支持する枠体１１が略水平なピボット軸１２廻りに設備室１内側で傾倒自在に収納されている。
【００１１】
また、この換気枠１３の外側には、室内空気を矢印ａのように室外３側へ排出するときに、風圧により開放するシャッター１４が設けられている。
【００１２】
換気装置４は、設備室１内側の下部温度が適温（管理温度）より低く、また上部温度が上記適温よりも所定温度高いとき、且つ室外温度が所定温度以下である場合に、温度検知装置５が作動して、換気装置４を点線図示のように、下方側へ向けるようにしている。
【００１３】
この状態で、換気ファン９を反転させ、矢印ｂで示すように室内空気を循環させて温度分布を均一に保つようにしている。
【００１４】
一方、下部温度が上記適温を越えて高くなっているときには、換気ファン９を正転させ、シャッター１４を開けて室内空気を換気するようにしている。
【特許文献１】実開平５−３６２２３号公報の全文明細書（第６頁第２〜第８頁第１６行並びに図１〜図３）
【発明の開示】
【発明が解決しようとする課題】
【００１５】
［特許文献１］によれば、暖房時における室内上部と下部との温度差が、上部温度センサ６および下部温度センサ７により自動的に検知されて室内空気の循環が行なわれることにより、室内温度分布の不均衡を緩和することができる。
【００１６】
しかしながら、設備室１内の壁体２の一部に１つの換気装置４を設け、その換気ファン９を正転および反転させる構成である場合には、その換気能力に限界がある一方、この換気装置４のファン制御に１つの壁側において１つの室外温度センサ８を作用させる構成にしている。
【００１７】
この構成の場合には、換気に関しては、換気効率および冷却作用を緩やかに行なう上で換気装置４の設置上あるいは作動上の制約があった。
【００１８】
すなわち、この設備室外の室外温度条件が様々であっても、換気を行なうことができるが、給気温度にはバラツキがあり、例えば給気温度が室内温度よりも相当に高い場合も存在する。従って、換気はできても、必要により外気による緩やかな冷房作用を得ることができなかった。
【００１９】
本発明は、上記の事情に鑑みてなされたもので、室外温度の異なる壁体側にそれぞれ給・排気可能な換気装置を設けて給・排気させることにより、効果的に
室内全体の換気を行なうことができると共に、必要に応じて外気による緩やかな冷房作用を得ることができるようにした家屋の換気方法および換気システムを提供することを目的とする。
【課題を解決するための手段】
【００２０】
前記目的を達成するために、本発明によれば、家屋の外気温度の高い壁体側に設けられる換気装置を始動させて、室内空気を室外側へ排気するステップと、家屋の外気温度の低い壁体側に設けられる換気装置を始動させて、室外空気を室内側へ給気するステップとを具備することを特徴とする家屋の室内換気方法を提供する。
【００２１】
前記目的を達成するために、本発明によれば、家屋の壁体により形成された設備室と、設備室の一方の壁体側を貫通して設けられ、室内・外の空気を給・排気する第１の換気装置と、上記設備室の他方の壁体側を貫通して設けられ、室内・外の空気を給・排気する第２の換気装置と、外気温度の高い壁体側の換気装置を作動させて設備室内側から排気する一方、外気温度の低い壁体側の換気装置を作動させて設備室内側へ給気するようにしたことを特徴とする家屋の室内換気システムを提供する。
【００２２】
前記目的を達成するために、本発明によれば、家屋の壁体により形成された設備室と、設備室の一方の壁体側を貫通して設けられ、室内・外の空気を給・排気する第１および第３の換気装置と、上記設備室の他方の壁体側を貫通して設けられ、室内・外の空気を給・排気する第２および第４の換気装置とを具備し、外気温度の高い壁体側の換気装置を作動させて設備室内側から排気する一方、外気温度の低い壁体側の換気装置を作動させて設備室内側へ給気するようにし
たことを特徴とする家屋の室内換気システムを提供する。
【００２３】
前記目的を達成するために、本発明によれば、家屋の壁体により形成された設備室と、設備室の一方の壁体側を貫通して設けられ、室内・外の空気を給・排気する第１の換気装置と、上記設備室の他方の壁体側を貫通して設けられ、室内・外の空気を給・排気する第２の換気装置と、上記室外側および室内側の空気圧を検知する室内・外の空気圧センサとを具備し、上記第１および第２の換気装置の何れか一方の外気温度の高い側を作動させて設備室内空気を室外側へ排気させ、室内空気圧が所定の負圧レベルに達した時に、他方の換気装置を作動させて外気温度の低い側から設備室内側へ給気するようにしたことを特徴とする家屋の室内換気システムを提供する。
【発明の効果】
【００２４】
本発明によれば、室外温度の異なる壁体側にそれぞれ給・排気可能な換気装置を設けて給・排気させることにより、効果的に室内全体の換気を行なうことができると共に、必要に応じて外気による緩やかな冷房作用を得ることができる。
【発明を実施するための最良の形態】
【００２５】
本発明に係る家屋の室内換気方法および室内換気システムの実施形態について、添付図面を参照して説明する。
【００２６】
（第１の実施形態）
図１は、本発明の家屋の室内換気システム２０の第１の実施形態を示す概要図である。
【００２７】
この家屋の室内換気システム２０は、家屋２１内に電気設備等の設備２２を収納設置する設備室２３が設けられる。この設備室２３は、第１の換気装置２４および第２の換気装置２５と、この第１の換気装置２４および第２の換気装置２５の作動を司る温度センサ群２６とが備えられる。
【００２８】
設備室２３は、設備２２を据付ける床２８およびこの床２８の周縁より起立させて設けられる壁体２９、この壁体２９の上方を覆うように設けられる屋根３０（天井壁を含む）とより構成される。壁体２９は、４方位（東，西，南，北）に面して設けた東側壁体２９１，西側壁体２９２，北側壁体２９３および南側壁体（図示せず）とから設備室２３の周壁を形成している。
【００２９】
設備２２には、運転中において、機械的・電気的に自己発熱するモータ部等の発熱部（図示せず）を有しており、この発熱部からの発熱が設備室２３内の空気温度を高めるよう作用している。
【００３０】
設備室２３内の空気温度は、基準値以上になると設備２２の故障や誤作動の原因となるため、家屋の換気システム２０によれば、換気により空気温度を上記基準値以下になるように日常的に温度管理されている。
【００３１】
家屋の換気システム２０の第１の換気装置２４および第２の換気装置２５は、設備２２を日常的に温度管理するために、設備室２３内の空気温度を所望の基準値以下に維持するために設置されたものである。
【００３２】
すなわち、設備室２３には、東側壁体２９１および西側壁体２９２の一部に室内空気および室外空気の給・排気が可能なように第１の換気口２４３および第２の換気口２５３が設けられる。
【００３３】
そして、この第１の換気口２４３および第２の換気口２５３には、それぞれの換気口２４３および２５３を塞ぐように第１の換気装置２４および第２の換気装置２５が設置される。
【００３４】
第１の換気装置２４は、図１に示すように、換気ファン２４１，ファンモータ２４２，第１の換気口２４３およびこの第１の換気口２４３から庇状に延出して設けた換気口ガイド２４４とから構成される。
【００３５】
換気ファン２４１は，ファンモータ２４２が設備室２３内の室内空気の排気時に正転を、給気時には反転することにより、設備室２３内の給・排気を行なうようになっている。また、この換気ファン２４１は、正転することにより室内空気を室外側へ排気し、反転することにより室外空気を設備室２３側へ給気するようになっている。
【００３６】
また、第２の換気装置２５は、図１に示すように、第１の換気装置２４と同様構成で、換気ファン２５１，ファンモータ２５２，第２の換気口２５３，この第２の換気口２５３から庇状に延出して設けた換気口ガイド２５４とから構成される。
【００３７】
換気ファン２５１は，ファンモータ２５２が排気時に正転を、また、給気時に反転するように回転駆動するものである。
【００３８】
一方、温度センサ群２６は、東側壁体２９１側の外気温度を検知するように設けられる第１の外気温度センサ２６１，西側壁体２９２側の外気温度を検知するように設けられる第２の外気温度センサ２６２および設備室２３側の室内温度を検知するように設けられる室温センサ２６３とより構成される。
【００３９】
温度センサ群２６は、第１の外気温度センサ２６１，第２の外気温度センサ２６２および室温センサ２６３により、それぞれ予め設定した温度を検知することにより、図示しない信号送出手段が作動して、第１の換気装置２４および第２の換気装置２５を作動させるようにしている。
【００４０】
第１の外気温度センサ２６１は、設備室２３の東側壁体２９１の外側付近の外気温度を検知している。また、第２の外気温度センサ２６２は、設備室２３の西側壁体２９２の外側付近の外気温度を検知している。
【００４１】
第１の外気温度センサ２６１で検知した温度と、第２の外気温度センサ２６２にて検知した温度とは図示しない温度比較手段により比較して、第１の外気温度センサ２６１で検知した温度の方が高い場合には、この第１の外気温度センサ２６１の換気ファン２４１を正転させて室内空気を室外へ排出させるようになっている。
【００４２】
また、同時に第２の換気装置２５の換気ファン２５１を反転させて室外空気を室内側へ給入するようになっている。
【００４３】
更に、室温センサ２６３は、設備２２の近傍に設置して、設備２２自体が異常温度になるのを防止するために、設備近傍での管理温度が例えば５０℃（設備近傍の程度や設備許容温度により異なる）に設定され、この温度を検知するようにしている。
【００４４】
設備室２３には、第１の換気装置２４および第２の換気装置２５の両方の作動制御を同時に行なう第１の換気作動制御装置３３が設けられる。
【００４５】
この第１の換気作動制御装置３３は、第１の外気温度センサ２６１の検知温度が第２の外気温度センサ２６２の検知温度よりも高く、且つ室温センサ２６３が管理温度である、５０℃を越えると、第１の換気装置２４および第２の換気装置２５をそれぞれ作動させるようにしている。
【００４６】
このように温度管理される設備２２は、例えば機械設備２２１，電気設備２２２，電気盤（制御盤）２２３等の設備である。
【００４７】
なお、符号３４は、家屋２１に対する太陽の位置を示している。
【００４８】
この太陽３４の位置は、太陽３４が東方から登る時間帯の位置では、図１に示すように家屋２１の東側壁体２９１側に位置している。この状態において、家屋２１の東側壁体２９１側の外気温度は、太陽３４の放射熱の影響により西側壁体２９２と比べて高温状態になっている。
【００４９】
他方、太陽３４が沈む時間帯であれば、太陽３４の位置は、家屋２１の西側壁体２９２側の外気温度が東側壁体２９１側よりも高い状態になっている。
【００５０】
次に、家屋の室内換気システム２０の作用について、図１を参照して説明する。
【００５１】
家屋の室内換気システム２０を始動させてから換気が完了するまでの各ステップを＜ステップ１＞〜＜ステップ５＞に区分して説明する。
【００５２】
家屋２１の設備室２３に設置される設備２２を始動させ、この設備２２が装置始動により自己発熱する。この設備２２の例えば機械設備２２１近傍の温度が、５０℃以下であると、室温センサ２６３がこの温度を検知することにより信号送出手段が作動しない。従って第１の換気装置２４および第２の換気装置２５は停止したままとなる＜ステップ１＞。
【００５３】
また、設備２２が始動してから所定時間経過して、機械設備２２１の近傍の温度が５０℃を越え、且つ第１の外気温度センサ２６１の検知温度が第２の外気温度センサ２６２の検知温度よりも高い場合には、第１の換気作動制御装置３３が作動する＜ステップ２＞。
【００５４】
第１の換気作動制御装置３３が作動すると、第１の換気装置２４および第２の換気装置２５が作動して、設備室２３内を換気する＜ステップ３＞。
【００５５】
設備室２３内の温度が換気により徐々に低下して、室温センサ２６３が５０℃以下の温度を検知すると、第１の換気装置２４および第２の換気装置２５の作動が停止する＜ステップ４＞。
【００５６】
次に、太陽３４が図１の点線矢視の方向（西側へ）移動して、この西側の室外温度が東側壁体２９１側の室外温度よりも高くなり、且つ室温センサ２６３の検知温度である５０℃を越えている場合には、第１の換気装置２４および第２の換気装置２５のファンモータ２４２、２５２がそれぞれ反転、正転し、第２の換気装置２５側から室内空気を第２の換気口２５３側から排出すると共に、室外空気を第１の換気口２４３側から給気する。
【００５７】
設備２２近傍の温度が、５０℃を越えていない場合は、室温センサ２６３は作動せず、設備室２３内の換気は行なわれない＜ステップ５＞。
【００５８】
家屋の室内換気システム２０によれば、上記＜ステップ１＞〜＜ステップ５＞を経ることにより、設備室２３を形成する家屋２１の壁体２９である東側壁体２９１側の外気温度と、壁体２９の他方の壁体である、西側壁体２９２側の外気温度とを比較して、高い温度側の方へ室内空気を排出させる一方、低い温度側の方から室外空気を給気するようにしたから、設備室２３内に設置される設備２２を効果的に冷却する。
【００５９】
従って、室内換気システム２０によれば、設備室２３内において、室外換気による冷房作用が得られ、建屋内の高温・高湿雰囲気を撹拌・換気して比較的短時間で冷却効果が得られ、設備２２の異常温度上昇をも防止することができ、設備２２の故障や誤動作を防止することができる。
【００６０】
延いては、設備室２３内に冷房装置を必要とする場合には、その補助的役割を担うことができ、駆動電力の削減、省エネルギ化が図れる。更には、機械設備、電気設備等の高性能状態の維持・継続および長寿命化へ貢献することもできる。
【００６１】
（第２の実施形態）
次に、本発明の第２の実施形態について説明する。
【００６２】
この第２の実施形態における家屋の室内換気システム４０を第１の実施形態を示す図１と同一部分に同一符号を附した図２を参照して説明する。
【００６３】
家屋の室内換気システム４０は、第１の実施形態にて説明した家屋の室内換気システム２０において、設備室２３を形成する壁体２９側に設けられる換気装置の換気能力を向上するように、第１の換気装置２４および第２の換気装置２５に加え第３の換気装置４４および第４の換気装置４５を設けた構成である。
【００６４】
また、第３の換気装置４４および第４の換気装置４５の室外側には、外気温度センサ群４３を設けた構成である。この外気温度センサ群４３は、第３の外気温度センサ４３１および第４の外気温度センサ４３２を備えている。
【００６５】
第３の換気装置４４は、第１の換気装置２４と同じ東側壁体２９１側において設けられる給気専用の換気装置で、第１の換気装置２４より下方に設置される。
【００６６】
第３の換気装置４４は、図２に示すように換気ファン４４１、ファンモータ４４２、第３の換気口４４３およびこの第３の換気口４４３から庇状に延出して設けた換気口ガイド４４４とから構成される。
【００６７】
第４の換気装置４５は、第２の換気装置２５と同じ西側壁体２９２側において設けられる排気専用の換気装置で、第２の換気装置２５より上方に設置される。
【００６８】
第４の換気装置４５は、図２に示すように換気ファン４５１、ファンモータ４５２、第４の換気口４５３およびこの第４の換気口４５３から庇状に延出して設けた換気口ガイド４５３とから構成される。
【００６９】
また、家屋の室内換気システム４０には、第１〜第４の換気装置２４，２５，４４および４５の全体の作動制御を同時に行なう第２の換気作動制御装置４２が設けられる。この第２の換気作動制御装置４２は、東側壁体２９１側に設けられる第１の外気温度センサ２６１の検知温度が第２の外気温度センサ２６２の検知温度よりも高く、且つ室温センサ２６３の作動温度である５０℃を越えると、第１の換気装置２４および第２の換気装置２５をそれぞれ作動させるものである。
【００７０】
また、第４の外気温度センサ４３２の検知温度が、第３の外気温度検知センサ４３１の検知温度よりも高く、且つ室温センサ２６３の作動温度である５０℃を越えると、第３の換気装置４４および第４の換気装置４５をそれぞれ作動させるものである。
【００７１】
なお、この時、第１および第２の換気装置２４，２５は、作動を停止させるか、それぞれの換気ファン２４１，２５１を逆回転させて作動を継続させることができる。
【００７２】
その他の構成は、家屋の換気システム２０と同様構成であるので説明を省略する。
【００７３】
次に、家屋の室内換気システム４０の作用について、図２を参照して説明する。
【００７４】
家屋の室内換気システム４０を始動させてから換気が完了するまでの各ステップを＜ステップ１＞〜＜ステップ５＞に区分して説明する。
【００７５】
家屋２１の設備室２３の設備２２を始動すると、この設備２２が装置始動により自己発熱する。
【００７６】
この設備２２の例えば機械設備２２１近傍の温度が、５０℃以下であると、室温センサ２６３がこの温度を検知することにより信号送出手段が作動しない。
【００７７】
従って、第１の換気装置２４および第２の換気装置２５は停止したままとなる＜ステップ１＞。
【００７８】
また、設備２２が始動してから所定時間経過してから、機械設備２２１の近傍の温度が５０℃を越え、且つ第１の外気温度センサ２６１の検知温度が第２の外気温度センサ２６２の検知温度よりも高い場合には、第２の換気作動制御装置４２が作動する＜ステップ２＞。
【００７９】
第２の換気作動制御装置４２が作動すると、第１の換気装置２４および第２の換気装置２５が作動して、設備室２３内を換気する＜ステップ３＞。
【００８０】
設備室２３内の温度が換気により徐々に温度が低下して、室温センサ２６３が５０℃以下の温度を検知すると、第１の換気装置２４および第２の換気装置２５の作動が停止する＜ステップ４＞。
【００８１】
次に、太陽３４が図１の点線矢視の方向（西側）へ移動して、この西側の室外温度が東側壁体２９１側の室外温度よりも高くなり、且つ機械設備２２１の近傍の温度が５０℃を越えている場合には、第３の外気温度センサ４３１および第４の外気温度センサ４３２が検知する所定の温度差が測定される。
【００８２】
この測定された温度差が、所定のレベルを越えた場合、第２の換気作動制御装置４２が作動して、第３の換気装置４４の換気ファン４４１と第４の換気装置４５の換気ファン４５１の正転による給気と排気により、設備室２３内の設備２２を冷却する。
【００８３】
この場合同時に、第１の換気装置２４および第２の換気装置２５の換気ファン２４１，２５１を逆回転させて作動させられるので、室内の換気作用が一層向上し、設備２２に対する冷却作用も向上する。
【００８４】
なお、設備２２近傍の温度が、５０℃を越えていない場合は、室温センサ２６３は作動せず、設備室２３内の換気は行なわれない＜ステップ５＞。
【００８５】
このように、家屋の室内換気システム４０によれば、上記＜ステップ１＞〜＜ステップ５＞を経ることにより、設備室２３を形成する家屋２１の壁体２９である例えば東側壁体２９１側の外気温度と、壁体２９の他方の壁体である例えば西側壁体２９２側の外気温度とを比較して、高い温度側の方へ室内空気を排出させる一方、低い温度側の方から室外空気を給気するようにしたから、設備室２３内に設置される設備２２を効果的に冷却する。
【００８６】
従って、設備２２の異常温度上昇を防止することによって、この設備２２の故障や誤動作を防止することができる。
【００８７】
なお、第２の実施形態における第１および第２の換気装置２４，２５の換気ファン２４１，２５１は一方の換気ファンが正回転または逆回転駆動している時、他方の換気ファンが上記換気ファンの回転と同一方向に回転させるようにすることもできる。
【００８８】
この場合には、設備室２３内の給・排気能力が一層向上するので、設備室２３内の空気温度環境や設備２２の運転状況により異常温度上昇する場合の対処に好適するものである。
【００８９】
（第３の実施形態）
次に、本発明の第３の実施形態について説明する。
【００９０】
この第３の実施形態における家屋の室内換気システム５０を第１の実施形態および第２の実施形態を示す図１および図２と同一部分に同一符号を附した図３を参照して説明する。
【００９１】
この家屋の室内換気システム５０は、第１の実施形態にて説明した家屋の室内換気システム２０おいて、更に設備室２３内・外の所定空気圧差を検知する空気圧センサ群５３を設けた構成である。
【００９２】
また、この空気圧センサ群５３と温度センサ群２６の両方の働きにより作動する第３の換気作動制御装置５２を設け、この第３の換気作動制御装置５２の作動により、第１の換気装置２４と第２の換気装置２５の作動を制御するようにしたものである。
【００９３】
空気圧センサ群５３は、設備室２３内に設けた室内空気圧センサ５３１と、室内空気の排出側である東側壁体２９１側に設けた室外空気圧センサ５３２とを設け、両空気圧センサ５３１，５３２で検知した所定の空気圧差を検知して、第１の換気装置２４および第２の換気装置２５の作動を制御するようにしたものである。
【００９４】
両空気圧センサ５３１，５３２で検知した空気圧の所定圧力差は、設備室２３の東側壁体２９１側の外気温度が、西側壁体２９２側の外気温度よりも高い状態にある場合、この高い状態にある側の第１の換気装置２４のみを先ず所定時間作動させて、室内空気を室外側へ排気する一方、所定時間経過後、第２の換気装置２５を作動させる時には、設備室２３内が負圧の環境になるようにしている。
【００９５】
従って、設備室２３内は、第２の換気装置２５が作動して西側壁体２９２側の外気を設備室２３内へ給気する際、上記負圧の影響で外気の給入が容易となる条件が得られる。
【００９６】
その他の構成については、家屋の換気システム２０と同様構成であるので説明を省略する。
【００９７】
次に、家屋の換気システム５０の作用について、図３を参照して説明する。
【００９８】
家屋の換気システム５０を始動させてから換気が完了するまでの各ステップを＜ステップ１＞〜＜ステップ７＞に区分して説明する。
【００９９】
家屋２１の設備室２３の設備２２を始動すると、この設備２２が装置始動により自己発熱する。この設備２２の例えば機械設備２２１近傍の温度が、例えば５０℃以下であると、室温センサ２６３がこの温度を検知することにより信号送出手段が作動しない。
【０１００】
従って、第１の換気装置２４および第２の換気装置２５は停止したままとなる＜ステップ１＞。
【０１０１】
また、設備２２が始動してから所定時間経過してから機械設備２２１近傍の温度が、例えば５０℃を越えると、室温センサ２６３がこの温度を検知して信号送出手段が作動する＜ステップ２＞。
【０１０２】
一方、この時第３の換気作動制御装置５２が作動して、東側壁体２９１側の外気温度が西側壁体２９２側の外気温度に比して所定レベル高い場合には、第３の換気作動制御装置５２の信号送出手段により送信される信号を受信する第１の換気装置２４が作動を開始する。
【０１０３】
すなわち、第１の外気温度センサ２６１で検知した外気温度と、第２の外気温度センサ２６２にて検知した外気温度とを図示しない温度比較手段により比較して、第１の外気温度センサ２６１で検知した温度の方が所定レベル高い場合には、第１の換気装置２４の換気ファン２４１が正転して室内空気を室外へ排出する＜ステップ３＞。
【０１０４】
また、この時第１の換気装置２４の換気ファン２４１の作動により室内空気が設備室２３側から室外へ排出されると、設備室２３内の空気圧は、徐々に負圧状態となり、所定の負圧レベルに達すると、これを第３の換気作動制御装置５２が検知して第２の換気装置２５を始動させる。
【０１０５】
なお、設備室２３を負圧にさせることにより、第２の換気装置２５側から設備室２３へ換気ファン２５１を反転させて給気する際、その室内の負圧が給気にブラスに作用するようになる＜ステップ４＞。
【０１０６】
設備室２３内の温度が換気により徐々に温度が低下して、室温センサ２６３が５０℃以下の温度を検知すると、第１の換気装置２４および第２の換気装置２５の作動が停止する＜ステップ５＞。
【０１０７】
次に、第２の外気温度センサ２６２で検知した外気温度の方が高い場合、例えば図３の点線矢視の方向に太陽３４が西側へ移動して、この西側の方が東側の外気温度より高くなった場合には、第２の換気装置２５の換気ファン２５１が正転して室内空気を西側壁体２９２側から室外へ排出する。
【０１０８】
設備室２３内の空気を排出することにより、設備室２３内は外気圧に比して所定レベルの負圧状態となる＜ステップ６＞。
【０１０９】
そこで、第１の換気装置２４の換気ファン２４１は、反転を開始して設備室２３側へ室外から給気することにより、設備室２３内が冷却されるようになり、設備室２３内に設置した設備２２の近傍温度が５０℃以下になる＜ステップ７＞。
【０１１０】
上記＜ステップ１＞〜＜ステップ７＞を経ることにより、家屋２１の設備室２３に設置した設備２２は、設備室２３内の温度が、東側壁体２９１または西側壁体２９２側の、何れか一方側の外気温度の高い方へ室内空気を排出し、また他方側の外気温度の低い方から外気を給入することができる。
【０１１１】
この場合に、室内換気システム５０によれば、設備室２３内を給気の前に先ず排気し、空気圧レベルを徐々に負圧状態にした後、この負圧状態の設備室２３内へ給気するようにしたから、給気側の第２の換気装置２５は、その換気ファン２５１の駆動エネルギが低減し、駆動電力の低減化に寄与させることができる。
【０１１２】
従って、設備２２に対する給入した外気の冷却作用により設備２２自体の異常な温度上昇が防止され、設備２２の故障や誤動作が未然に防ぐことができる。
【０１１３】
なお、本発明にかかる家屋の室内換気システム５０の第３の作動換気制御装置５２は、第１の換気装置２４を先に作動させて、設備室２３を所定レベルまで一旦負圧にさせ、次に、第２の換気装置２５を作動させて給気する（負圧給気方式）ようにしている。
【０１１４】
また、逆に第２の換気装置２５を先に作動させて、設備室２３を所定レベルまで一旦負圧にさせ、次に第１の換気装置２４を作動させて給気するようにしたが、この負圧給気方式は、本発明の第１の実施形態または第２の実施形態においても適用可能である。
【０１１５】
またこの場合において、例えば第１の換気装置２４を先ず作動させてから第２の換気装置２５を作動させるまでの間を、便宜的にタイマを用いるようにすることも可能である。
【０１１６】
更に、本発明にかかる家屋の換気システム２０，４０および５０によれば、各第１〜第３の各実施形態に示す家屋２１は、太陽３４が出入りする側の東側壁体２９１および西側壁体２９２側に、第１および第２の換気装置２４および２５を、更には第３および第４の換気装置４４および４５を設置したが、必ずしもこの構成に限定されない。例えば南北方向の壁体側にも換気装置を設置することもできる。
【０１１７】
この場合には、上述した東西方向の壁体に設置したときと同様に、一方の壁体側の外気温度が他方の壁体側の外気温度と比べて、所定レベルの温度差が得られる環境であれば差し支えない。
【０１１８】
更にまた、本発明にかかる家屋の換気システム２０，４０および５０によれば、設備室２３の一方壁体、例えば東側壁２９１と他方の壁体、例えば西側壁体２９２側の外気の温度差がある場合に作動させるようにしたが、室内温度を含めて温度差がない条件下の場合にでも作動させるようにしてもよい。
【０１１９】
すなわち、第１の換気装置２４，第２の換気装置２５，第３の換気装置４４および第４の換気装置４５の少なくとも一方を任意に作動させれば、設備室２３の通常の換気を行なうことができる。
【図面の簡単な説明】
【０１２０】
【図１】本発明にかかる家屋の室内換気システムの第１の実施形態を示す概要図。
【図２】本発明にかかる家屋の室内換気システムの第２の実施形態を示す概要図。
【図３】本発明にかかる家屋の室内換気システムの第３の実施形態を示す概要図。
【図４】従来の家屋の室内換気システムの概要図。
【符号の説明】
【０１２１】
２０，４０，５０  家屋の室内換気システム
２１  家屋
２２  設備
２２１  機械設備
２２２  電気設備
２２３  電気盤（制御盤）
２３  設備室
２４  第１の換気装置
２４１，２５１，４４１，４５１  換気ファン
２４２，２５２，４４２，４５２  ファンモータ
２４３  第１の換気口
２４４，２５４，４４４，４５４  換気口ガイド
２５  第２の換気装置
２５３  第２の換気口
２６  温度センサ群
２６１  第１の外気温度センサ
２６２  第２の外気温度センサ
２６３  室温センサ
２８  床
２９  壁体
２９１  東側壁体
２９２  西側壁体
２９３  北側壁体
３０  屋根
３３  第１の換気作動制御装置
３４  太陽
４２  第２の換気作動制御装置
４３  外気温度センサ群
４３１  第３の外気温度センサ
４３２  第４の外気温度センサ
４４  第３の換気装置
４４３  第３の換気口
４５  第４の換気装置
４５３  第４の換気口
５２  第３の換気作動制御装置
５３  空気圧センサ群
５３１  室内空気圧センサ
５３２  室外空気圧センサ
【図１】
2005133990.tif 000003
【図２】
2005133990.tif 000004
【図３】
2005133990.tif 000005
【図４】
2005133990.tif 000006